(57)【要約】【課題】シャッターユニットをコンパクト化しつつ、シャッターカーテンの断熱機能を向上させることにある。【解決手段】室外側部材と、室内側部材と、室外側部材と室内側部材との間に位置する空気層と、を備えるスラットを複数有するシャッターカーテンと、前記シャッターカーテンを巻き付けるための巻き付け軸であって、回動することにより前記シャッターカーテンの巻き上げ及び繰り出しを行って前記シャッターカーテンを開閉させる巻き付け軸と、を有するシャッターユニットであって、前記シャッターカーテンが閉じる際に前記室内側部材を前記室外側部材に対し遠ざける方向へ相対移動させて前記空気層を拡大させる空気層拡大手段と、前記シャッターカーテンが開く際に前記室内側部材を前記室外側部材に対し近づける方向へ相対移動させて前記空気層を縮小させる空気層縮小手段と、を有することを特徴とする。【選択図】図４
2017137623.tif 000002
【特許請求の範囲】
【請求項１】
室外側部材と、室内側部材と、室外側部材と室内側部材との間に位置する空気層と、を備えるスラットを複数有するシャッターカーテンと、
前記シャッターカーテンを巻き付けるための巻き付け軸であって、回動することにより前記シャッターカーテンの巻き上げ及び繰り出しを行って前記シャッターカーテンを開閉させる巻き付け軸と、を有するシャッターユニットであって、
前記シャッターカーテンが閉じる際に前記室内側部材を前記室外側部材に対し遠ざける方向へ相対移動させて前記空気層を拡大させる空気層拡大手段と、
前記シャッターカーテンが開く際に前記室内側部材を前記室外側部材に対し近づける方向へ相対移動させて前記空気層を縮小させる空気層縮小手段と、を有することを特徴とするシャッターユニット。
【請求項２】
請求項１に記載のシャッターユニットであって、
前記空気層縮小手段は、前記巻き付け軸であり、
前記巻き付け軸による前記巻き上げが行われて前記シャッターカーテンが前記巻き付け軸に巻き付けられることにより、前記室内側部材と前記室外側部材が近づき、前記空気層が縮小することを特徴とするシャッターユニット。
【請求項３】
請求項１又は請求項２に記載のシャッターユニットであって、
前記室内側部材は、前記室外側部材にスライド可能に嵌め込まれており、
前記スラットは、前記空気層拡大手段として、前記室外側部材に設けられた突起部と、前記室内側部材に設けられたテーパー部と、を有し、
前記シャッターカーテンが閉じる際に、隣り合う二つのスラットの一方の前記突起部が、他方の前記室内側部材の前記テーパー部に接触することにより該室内側部材を前記室外側部材から遠ざける方向にスライドさせて、前記空気層を拡大させることを特徴とするシャッターユニット。
【請求項４】
請求項１乃至請求項３のいずれかに記載のシャッターユニットであって、
前記室外側部材は、金属製の部材であり、
前記室内側部材は、樹脂製の部材であることを特徴とするシャッターユニット。
【請求項５】
請求項１乃至請求項３のいずれかに記載のシャッターユニットであって、
前記巻き付け軸を収容するための収容部には、前記シャッターカーテンの繰り出しが行なわれる際に、前記シャッターカーテンを外部へ露出させる開口が備えられており、
複数の前記スラットは、前記シャッターカーテンが閉じた際に前記開口より外部に位置する複数の外部スラットと内部に位置する複数の内部スラットからなり、
前記室外側部材は、金属製の部材であり、
前記複数の内部スラットの少なくとも一部に設けられた前記室内側部材は、金属製の部材であり、それ以外の前記スラットに設けられた前記室内側部材は、樹脂製の部材であることを特徴とするシャッターユニット。
【発明の詳細な説明】
【技術分野】
【０００１】
本発明は、シャッターユニットに関する。特に、スラットを複数有するシャッターカーテンとシャッターカーテンを巻き付けるための巻き付け軸とを有するシャッターユニットに関する。
【背景技術】
【０００２】
スラットを複数有するシャッターカーテンとシャッターカーテンを巻き付けるための巻き付け軸とを有するシャッターユニットは、既によく知られている。
【０００３】
かかるシャッターユニットにおいては、当該巻き付け軸が回動することによりシャッターカーテンの巻き上げ及び繰り出しを行ってシャッターカーテンを開閉させるようになっている。
【先行技術文献】
【特許文献】
【０００４】
【特許文献１】特開２０１５−９８７４９号公報
【発明の概要】
【発明が解決しようとする課題】
【０００５】
シャッターカーテンが閉じた際には、当該シャッターカーテンは、熱伝達を減少させる断熱機能を発揮する。すなわち、シャッターカーテンは、シャッターカーテンよりも室外側の冷えた外気により、シャッターカーテンよりも室内側の温度がなるべく下がらないようにする役割を果たす。そして、シャッターカーテンの当該断熱機能を向上させることが要請される。
【０００６】
また、シャッターカーテンが開いた際には、当該シャッターカーテンは巻き付け軸に巻き付けられることとなるが、シャッターユニットをコンパクト化するためには、当該巻き付け軸に巻き付けられたシャッターカーテンの大きさをなるべく小さくすることが要請される。
【０００７】
本発明は、かかる課題に鑑みてなされたものであり、その目的とするところは、シャッターユニットをコンパクト化しつつ、シャッターカーテンの断熱機能を向上させることにある。
【課題を解決するための手段】
【０００８】
かかる目的を達成するために本発明のシャッターユニットは、室外側部材と、室内側部材と、室外側部材と室内側部材との間に位置する空気層と、を備えるスラットを複数有するシャッターカーテンと、
前記シャッターカーテンを巻き付けるための巻き付け軸であって、回動することにより前記シャッターカーテンの巻き上げ及び繰り出しを行って前記シャッターカーテンを開閉させる巻き付け軸と、を有するシャッターユニットであって、
前記シャッターカーテンが閉じる際に前記室内側部材を前記室外側部材に対し遠ざける方向へ相対移動させて前記空気層を拡大させる空気層拡大手段と、
前記シャッターカーテンが開く際に前記室内側部材を前記室外側部材に対し近づける方向へ相対移動させて前記空気層を縮小させる空気層縮小手段と、を有することを特徴とするシャッターユニットである。
【０００９】
このようなシャッターユニットによれば、シャッターカーテンが閉じてシャッターカーテンの断熱機能を適切に発揮させたい状況においては、空気層が拡大して当該断熱機能がより適切に働くこととなる。
また、シャッターカーテンが開く際には、空気層を縮小して、つまり、室内側部材を室外側部材に対し近づける方向へ相対移動させて、シャッターユニットをコンパクト化することが可能となる。
そのため、シャッターユニットをコンパクト化しつつ、シャッターカーテンの断熱機能を向上させることができる。
【００１０】
かかるシャッターユニットであって、
前記空気層縮小手段は、前記巻き付け軸であり、
前記巻き付け軸による前記巻き上げが行われて前記シャッターカーテンが前記巻き付け軸に巻き付けられることにより、前記室内側部材と前記室外側部材が近づき、前記空気層が縮小することが望ましい。
【００１１】
このようなシャッターユニットによれば、巻き付け軸にシャッターカーテンを巻き付ける簡易な構成で、空気層の縮小によるシャッターユニットのコンパクト化を実現することが可能となる。
【００１２】
かかるシャッターユニットであって、
前記室内側部材は、前記室外側部材にスライド可能に嵌め込まれており、
前記スラットは、前記空気層拡大手段として、前記室外側部材に設けられた突起部と、前記室内側部材に設けられたテーパー部と、を有し、
前記シャッターカーテンが閉じる際に、隣り合う二つのスラットの一方の前記突起部が、他方の前記室内側部材の前記テーパー部に接触することにより該室内側部材を前記室外側部材から遠ざける方向にスライドさせて、前記空気層を拡大させることが望ましい。
【００１３】
このようなシャッターユニットによれば、拡大時の空気層の大きさをより大きくすることが可能となる。
【００１４】
かかるシャッターユニットであって、
前記室外側部材は、金属製の部材であり、
前記室内側部材は、樹脂製の部材であることが望ましい。
【００１５】
このようなシャッターユニットによれば、空気層を拡大させることと室内側部材を樹脂製とすることの相乗効果により、断熱機能を飛躍的に向上させることが可能となる。
【００１６】
かかるシャッターユニットであって、
前記巻き付け軸を収容するための収容部には、前記シャッターカーテンの繰り出しが行なわれる際に、前記シャッターカーテンを外部へ露出させる開口が備えられており、
複数の前記スラットは、前記シャッターカーテンが閉じた際に前記開口より外部に位置する複数の外部スラットと内部に位置する複数の内部スラットからなり、
前記室外側部材は、金属製の部材であり、
前記複数の内部スラットの少なくとも一部に設けられた前記室内側部材は、金属製の部材であり、それ以外の前記スラットに設けられた前記室内側部材は、樹脂製の部材であることが望ましい。
【００１７】
このようなシャッターユニットによれば、シャッターユニットをコンパクト化しつつ、シャッターカーテンの断熱機能を向上させることに加えて、破損しにくいシャッターユニットを実現することが可能となる。
【発明の効果】
【００１８】
本発明によれば、シャッターユニットをコンパクト化しつつ、シャッターカーテンの断熱機能を向上させることができる。
【図面の簡単な説明】
【００１９】
【図１】シャッターカーテン２０が開いた際のシャッターユニット１０を示した縦断面図である。
【図２】シャッターカーテン２０が閉じた際のシャッターユニット１０を示した縦断面図である。
【図３】シャッターユニット１０の斜視図である。
【図４】本実施の形態に係るスラット２２の断面図である。
【図５】第二実施形態に係るスラット２２の断面図である。
【図６】第三実施形態に係るスラット２２の断面図である。
【発明を実施するための形態】
【００２０】
＝＝＝本実施の形態に係るシャッターユニット１０について＝＝＝
本実施の形態に係るシャッターユニット１０について、図１乃至図３を用いて説明する。
【００２１】
なお、以下の説明においては、建物等に取り付けられた状態のシャッターユニット１０を室外側から見たときに、上下となる方向を上下方向、左右となる方向を左右方向、室内外方向である奥行き方向を見込み方向として示す。シャッターユニット１０の各部位であっても、また、シャッターユニット１０を構成する各部材については単体の状態であっても、建物等に取り付けられた状態にて上下方向、左右方向、見込み方向となる方向にて方向を特定して説明する。
【００２２】
本実施形態に係るシャッターユニット１０は、建具の上枠５０と上枠５０の上方に設けられたルーフ板５２との間、及び、左右の縦枠の間、に設けられている。つまり、シャッターユニット１０は、ルーフ板５２、上枠５０、二つの縦枠に囲まれた空間に挿入されている。そして、シャッターユニット１０の手前側（つまり、シャッターユニット１０の室外側）には、化粧板５４（点検板とも呼ばれる）が設けられている。
【００２３】
シャッターユニット１０は、シャッターカーテン２０と、巻き付け軸３０と、不図示の駆動部と、を備えている。
【００２４】
シャッターカーテン２０は、図３に示すように、後述する巻き付け軸３０に取り付けられており、当該巻き付け軸３０が回動することにより開閉するようになっている。そして、シャッターカーテン２０は、シャッターカーテン２０が閉じた際に、上枠５０、下枠５６、縦枠により囲まれた空間に収容されている障子（不図示）よりも室外側において、建物の屋内外を仕切るようになっている。
【００２５】
シャッターカーテン２０は、複数のスラット２２と、座板部材２８と、を有している。
【００２６】
スラット２２は、図３に示すように、その長手方向が左右方向に沿った長尺の部材である。複数のスラット２２のうち、シャッターカーテン２０が閉じた際に（図２の状態の際に）最も上方に位置するスラット２２（便宜上、トップスラット２２ａと呼ぶ）は、巻き付け軸３０に連結され（固定され）ており、最も下方に位置するスラット２２（便宜上、ボトムスラット２２ｂと呼ぶ）は、座板部材２８と係合している。
【００２７】
そして、トップスラット２２ａとボトムスラット２２ｂ以外のスラット２２は、二つの他のスラット２２、すなわち、シャッターカーテン２０が閉じた際に（図２の状態の際に）当該スラット２２の上方に位置するスラット２２及び下方に位置するスラット２２、と隣り合っており、当該二つの他のスラット２２の各々と係合している。なお、トップスラット２２ａも、巻き付け軸３０の固定部とは反対側で隣り合う一つの他のスラット２２と係合しており、ボトムスラット２２ｂも、座板部材２８とは反対側で隣り合う一つの他のスラット２２と係合している。なお、スラット２２の具体的な構成については、後に詳述する。
【００２８】
座板部材２８は、図３に示すように、その長手方向が左右方向に沿った長尺の部材である。この座板部材２８は、シャッターカーテン２０の下端部に位置する部材であり、ボトムスラット２２ｂと係合している。座板部材２８は、シャッターカーテン２０が開いた際には（図１の状態の際には）、下枠５６との間に開口部Ｍを形成し、シャッターカーテン２０が閉じた際には（図２の状態の際には）、下枠５６と接触して（下枠５６に着座して）当該開口部Ｍが生じないようにする。
【００２９】
巻き付け軸３０は、シャッターカーテン２０（具体的には、スラット２２）を巻き付けるための巻き付け軸３０である。この巻き付け軸３０は、図３に示すように、その長手方向が左右方向に沿った長尺の部材であり、その断面形状は、図１及び図２に示すように、略円形状を備えている。この巻き付け軸３０の内部には、図３に示すように、心材４０が設けられており、巻き付け軸３０は、当該心材４０周りに回動可能となっている。
【００３０】
また、巻き付け軸３０の円周上の一点には、前述したトップスラット２２ａの一端部が固定されている。そして、トップスラット２２ａには、他のスラット２２が係合しており、当該他のスラット２２には、次の他のスラット２２が係合し、その後も順次スラット２２が係合している。したがって、巻き付け軸３０が回動すると、これらのスラット２２が順次巻き付け軸３０に巻き付くようになっている。
【００３１】
すなわち、シャッターカーテン２０が閉じた状態（図２の状態）で、巻き付け軸３０が図２における時計方向に回動すると、先ずトップスラット２２ａが巻き付け軸３０に巻き付く。そして、その後は、係合している順番でスラット２２が巻き付け軸３０に巻き付くこととなる。巻き付け軸３０の回動（スラット２２の巻き付き）が継続されると、スラット２２と座板部材２８は徐々に上方へ移動し、シャッターカーテン２０が開いた状態（図１の状態）となる。
【００３２】
なお、本実施の形態に係るシャッターユニット１０においては、巻き付け軸３０の径とスラット２２のサイズ及び数の関係上、スラット２２が巻き付け軸３０に一重ではなく何重にも巻き付くようになっている（多重の巻き付き）。つまり、一重目のスラット２２は、その内側に位置する巻き付け軸３０と接触するが、二重目以降のスラット２２は、当該巻き付け軸３０とは接触せず、そのスラット２２の内側に位置するスラット２２と接触する。なお、図１においては、図の複雑化を避けるために、かかる様子の表示（中間に位置する幾つかのスラット２２の表示）を省略している。
【００３３】
一方で、シャッターカーテン２０が開いた状態（図１の状態）で、巻き付け軸３０が図１における反時計方向に回動すると、スラット２２の巻き付き状態が順次解除されると共に、スラット２２及び座板部材２８が徐々に下方へ移動する。そして、座板部材２８が下枠５６に至ると（着座すると）、シャッターカーテン２０が閉じた状態（図２の状態）となる。
【００３４】
このように、巻き付け軸３０は、回動することによりシャッターカーテン２０の巻き上げ及び繰り出しを行ってシャッターカーテン２０を開閉させる。なお、本実施の形態においては、巻き付け軸３０は、手動ではなく、電動での動作を行う。つまり、シャッターユニット１０には、巻き付け軸３０を回動させるための駆動部（モーター）が設けられており、当該駆動部が巻き付け軸３０を駆動するようになっている。
【００３５】
＜＜＜本実施の形態に係るスラット２２の構成について＞＞＞
次に、本実施の形態に係るスラット２２の構成について、図４（図４Ａ乃至図４Ｃ）を用いて説明する。図４Ａ乃至図４Ｃは、スラット２２の三つの異なる状態を示した図である。図４Ａは、シャッターカーテン２０が閉じているときのスラット２２の断面形状を表した図である。図４Ｂは、シャッターカーテン２０が開いているときに巻き付け軸３０に巻き付いていないスラット２２の断面形状を表した図である。図４Ｃは、シャッターカーテン２０が開いているときに巻き付け軸３０に巻き付いているスラット２２の断面形状を表した図である。なお、各々の図には、３つのスラット２２が表されているが、３つのスラット２２の構成は同様であるため、以下では、主として、中央のスラット２２の構成について説明する。そして、当該中央のスラット２２と係合し、図４Ａ及び図４Ｂの状態で当該中央のスラット２２の上方（下方）に位置するスラット２２を上方スラット２２ｃ（下方スラット２２ｄ）と呼び、中央のスラット２２に関連して説明する。
【００３６】
図４に示すように、各々のスラット２２は、二つの部材からなっている。一つの部材は、シャッターカーテン２０が閉じた際に（図４Ａの状態で）室外側に位置する金属製（具体的には、アルミニウム製）の部材（以下、室外側部材２３と呼ぶ）であり、もう一つの部材は、シャッターカーテン２０が閉じた際に（図４Ａの状態で）室内側に位置する樹脂製（具体的には、塩化ビニル樹脂製）の部材（以下、室内側部材２５と呼ぶ）である。なお、室外側部材２３及び室内側部材２５は、図４Ｂの状態でも、室外側及び室内側にそれぞれ位置する。
【００３７】
また、室外側部材２３は、スラット２２が巻き付け軸３０に巻き付いているときには（図４Ｃの状態で）、巻き付け軸３０の径方向において室内側部材２５よりも外側に位置しており、室内側部材２５は、スラット２２が巻き付け軸３０に巻き付いているときには（図４Ｃの状態で）、当該径方向において室外側部材２３よりも内側に位置し、かつ、室外側部材２３と巻き付け軸３０の間に位置している。
【００３８】
室外側部材２３は、室外側部材本体２３ａと、室外側第一係合部２３ｂと、室外側第二係合部２３ｃと、室外側第三係合部２３ｄと、室外側第四係合部２３ｅと、突起部２３ｆと、を有している。
【００３９】
室外側第一係合部２３ｂ及び室外側第二係合部２３ｃは、それぞれ上方スラット２２ｃ及び下方スラット２２ｄと係合するためのフック状部分である。より具体的には、室外側第一係合部２３ｂは、上方スラット２２ｃの室外側第二係合部２３ｃと係合し、室外側第二係合部２３ｃは、下方スラット２２ｄの室外側第一係合部２３ｂと係合するようになっている。室外側第一係合部２３ｂは、スラット２２の上端部に位置し、室外側第二係合部２３ｃはスラット２２の下端部に位置している。
【００４０】
図４Ｂ及び図４Ｃに示すとおり、室外側第一係合部２３ｂと室外側第二係合部２３ｃの係合は、室外側第一係合部２３ｂの下向きのフック状部分が室外側第二係合部２３ｃの上向きのフック状部分と引っ掛かることによって実現されている。そして、かかる係合状態において、隣り合う二つのスラット２２が互いに回動して双方のスラット２２の角度が変更できるようになっている。つまり、図４Ｂのようにスラット２２が巻き付け軸３０に巻き付いていないときには、各スラット２２が一直線上に並び、図４Ｃのようにスラット２２が巻き付け軸３０に巻き付く際には、隣り合う二つのスラット２２の角度が変わって（シャッターカーテン２０が屈曲して）円形状の巻き付け軸３０に沿うようになっている。
【００４１】
なお、図４Ｂの状態において、室外側第二係合部２３ｃは、下方スラット２２ｄ、当該下方スラット２２ｄに順次係合するスラット２２、及び、座板部材２８を支持する役割を果たす。このように、本実施の形態においては、金属製の室外側部材２３及び樹脂製の室内側部材２５のうちの前者のみがスラット２２及び座板部材２８を支持する構成となっている。そのため、（樹脂ではなく）金属による確実な支持が実現されることとなる。
【００４２】
室外側第三係合部２３ｄと室外側第四係合部２３ｅは、室内側部材２５と係合する部分である。すなわち、室外側第三係合部２３ｄと室外側第四係合部２３ｅは、双方により室内側部材２５を挟み込むことにより、室内側部材２５の室外側部材２３への嵌め込みを実現している。
【００４３】
突起部２３ｆは、図４Ａ及び図４Ｂの状態で上方へ向かって突出している部分であり、室外側第一係合部２３ｂに隣接するように設けられている。この突起部２３ｆは、後述するテーパー部２５ｄと協働して、シャッターカーテン２０が閉じる際に室内側部材２５を室外側部材２３から遠ざけるように移動させて後述する空気層２６を拡大させる役割を果たす（詳細は後述する）。
【００４４】
室内側部材２５は、室内側部材本体２５ａと、室内側第一係合部２５ｂと、室内側第二係合部２５ｃと、テーパー部２５ｄと、を有している。
【００４５】
室内側第一係合部２５ｂと室内側第二係合部２５ｃは、室外側部材２３と係合する部分である。室内側第一係合部２５ｂと室内側第二係合部２５ｃの双方は、室外側第三係合部２３ｄと室外側第四係合部２３ｅの間（内側）に位置し、室内側第一係合部２５ｂが室外側第三係合部２３ｄと係合し、室内側第二係合部２５ｃが室外側第四係合部２３ｅと係合することにより、室内側部材２５が室外側部材２３にスライド可能に嵌め込まれている。つまり、室内側部材２５は、室外側部材２３に近づくように水平方向に移動したり、室外側部材２３から遠ざかるように水平方向に移動したりすることができるようになっている。
【００４６】
テーパー部２５ｄは、室内側第二係合部２５ｃの根元に設けられている部分である。このテーパー部２５ｄは、突起部２３ｆと協働して、シャッターカーテン２０が閉じる際に室内側部材２５を室外側部材２３から遠ざけるように移動させて後述する空気層２６を拡大させる役割を果たす（詳細は後述する）。
【００４７】
また、室外側部材２３と室内側部材２５との間には、空気層２６が備えられている。すなわち、スラット２２には、室外側部材本体２３ａ、室外側第三係合部２３ｄ、室外側第四係合部２３ｅ、室内側部材本体２５ａ、室内側第一係合部２５ｂ、室内側第二係合部２５ｃで囲まれた空間が形成され、当該空間は空気層２６となりシャッターカーテン２０の断熱機能に寄与することとなる。なお、前述したとおり、室内側部材２５は、室外側部材２３に近づいたり遠ざかったりすることができるようになっているため、かかる移動に伴って、当該空気層２６が拡大したり縮小したりすることとなる。
【００４８】
＜＜＜本実施の形態に係るスラット２２の動作について＞＞＞
次に、本実施の形態に係るスラット２２の動作について、図１、図２、図４を用いて説明する。
【００４９】
シャッターカーテン２０が開いた状態（図１の状態）では、多くのスラット２２が、巻き付け軸３０に巻き付いており、図４Ｃの状態にある。すなわち、隣り合う二つのスラット２２の室外側第一係合部２３ｂと室外側第二係合部２３ｃとが係合した状態で、当該隣り合う二つのスラット２２が角度を持って（曲がって）円形状の巻き付け軸３０に沿っている。また、室内側第一係合部２５ｂが室外側第三係合部２３ｄと係合し、室内側第二係合部２５ｃが室外側第四係合部２３ｅと係合することにより、室内側部材２５が室外側部材２３に嵌め込まれている。
【００５０】
かかる状態で、巻き付け軸３０が図１における反時計方向に回動すると、スラット２２の巻き付き状態が順次解除され、スラット２２は図４Ｃの状態から図４Ｂの状態へと移行する。すなわち、隣り合う二つのスラット２２の室外側第一係合部２３ｂと室外側第二係合部２３ｃとが係合した状態を維持しつつ、当該隣り合う二つのスラット２２の角度が変わってこれらのスラット２２が一直線上に並ぶようになる。
【００５１】
かかる状態で、巻き付け軸３０が図１における反時計方向にさらに回動すると、スラット２２及び座板部材２８が徐々に下方へ移動し、やがて座板部材２８が下枠５６に接触する。そして、座板部材２８が下枠５６に接触した状態で巻き付け軸３０がさらに回動すると、座板部材２８の上下方向の動きが規制されている状態で、スラット２２が下方へ移動することとなるため、スラット２２（ボトムスラット２２ｂ）と座板部材２８との間隔が狭くなり、その後、順次隣り合うスラット２２間の間隔も狭くなる（間隔が詰まるようになる）。つまり、図４Ｂの状態から図４Ａ（図２）の状態へ移行することとなる。
【００５２】
すなわち、図４Ａと図４Ｂを比較することにより明らかなように、室外側第一係合部２３ｂと室外側第二係合部２３ｃの係合が外れる。そして、室外側第一係合部２３ｂは、上方スラット２２ｃの室外側第二係合部２３ｃよりも上方に位置する上方スラット２２ｃの室外側第四係合部２３ｅと接触し、室外側第二係合部２３ｃは、下方スラット２２ｄの室外側第一係合部２３ｂよりも下方に位置する下方スラット２２ｄの室外側第三係合部２３ｄと接触する。
【００５３】
また、かかる際には、室外側第一係合部２３ｂの室外側第四係合部２３ｅへの上述した接触と共に、当該室外側第一係合部２３ｂに隣接する突起部２３ｆが、当該室外側第四係合部２３ｅと係合する室内側第二係合部２５ｃのテーパー部２５ｄと接触する。そして、当該接触により、室内側部材２５を室外側部材２３に対し遠ざける方向へ相対移動させ（本実施の形態においては、室内側部材２５を室外側部材２３から遠ざける方向にスライドさせ）、上述した空気層２６を拡大させる。
【００５４】
このように、突起部２３ｆとテーパー部２５ｄは、シャッターカーテン２０が閉じる際に室内側部材２５を室外側部材２３に対し遠ざける方向へ相対移動させて空気層２６を拡大させる空気層拡大手段としての役割を果たす。そのため、シャッターカーテンが閉じた際には（図４Ａの状態になった際には）、シャッターカーテン２０の断熱機能がより適切に働くこととなる。
【００５５】
一方、図２（図４Ａ）の状態において、巻き付け軸３０が図２における時計方向に回動すると、スラット２２は、図４Ａの状態から図４Ｂの状態へ移行し、やがて、巻き付け軸３０に巻き付くこととなる（つまり、図４Ｃの状態へ移行する）。そうすると、前記一重目のスラット２２については、室外側部材２３と巻き付け軸３０に室内側部材２５が挟まれて双方により押圧され、二重目以降のスラット２２については、二つの室外側部材２３に室内側部材２５が挟まれて双方により押圧される。そのため、室内側部材２５と室外側部材２３とが近づき、空気層２６が縮小することとなる。
【００５６】
このように、巻き付け軸３０は、シャッターカーテン２０が開く際に室内側部材２５を室外側部材２３に対し近づける方向へ相対移動させて空気層２６を縮小させる空気層縮小手段としての役割を果たす。つまり、巻き付け軸３０による巻き上げが行われてシャッターカーテン２０が巻き付け軸３０に巻き付けられることにより、室内側部材２５と室外側部材２３が近づき、空気層２６が縮小する。
【００５７】
＝＝＝本実施の形態に係るシャッターユニット１０の有効性について＝＝＝
上述した通り、本実施の形態に係るシャッターユニット１０は、室外側部材２３と、室内側部材２５と、室外側部材２３と室内側部材２５との間に位置する空気層２６と、を備えるスラット２２を複数有するシャッターカーテン２０と、シャッターカーテン２０を巻き付けるための巻き付け軸３０であって、回動することによりシャッターカーテン２０の巻き上げ及び繰り出しを行ってシャッターカーテン２０を開閉させる巻き付け軸３０と、を有することとした。
【００５８】
そして、シャッターカーテン２０が閉じる際に（なお、「閉じる際に」とは、閉じたときのみならず開いた状態から閉じた状態への移行時も含む概念である）室内側部材２５を室外側部材２３に対し遠ざける方向へ相対移動させて空気層２６を拡大させる空気層拡大手段と、シャッターカーテン２０が開く際に（なお、「開く際に」とは、開いたときのみならず閉じた状態から開いた状態への移行時も含む概念である）室内側部材２５を室外側部材２３に対し近づける方向へ相対移動させて空気層２６を縮小させる空気層縮小手段と、を有することとした。
【００５９】
そのため、シャッターカーテン２０が閉じてシャッターカーテン２０の断熱機能を適切に発揮させたい状況においては、空気層２６が拡大して当該断熱機能がより適切に働くこととなる。
【００６０】
また、シャッターカーテン２０が開いてシャッターカーテン２０が巻き付け軸３０に巻き付けられる際には、空気層２６を縮小して、つまり、室内側部材２５を室外側部材２３に対し近づける方向へ相対移動させて、巻き付け軸３０に巻き付けられたシャッターカーテン２０の大きさを小さくすることができる。したがって、シャッターユニット１０をコンパクト化することが可能となり、意匠性の向上や軒との干渉の回避等の優位性が生ずる。
【００６１】
このように、本実施の形態によれば、シャッターユニット１０をコンパクト化しつつ、シャッターカーテン２０の断熱機能を向上させることができる。
【００６２】
また、本実施の形態において、前記空気層縮小手段は、巻き付け軸３０であり、巻き付け軸３０による巻き上げが行われてシャッターカーテン２０が巻き付け軸３０に巻き付けられることにより、室内側部材２５と室外側部材２３が近づき、空気層２６が縮小することとした。
【００６３】
そのため、巻き付け軸３０にシャッターカーテン２０を巻き付ける簡易な構成で、空気層２６の縮小によるシャッターユニット１０のコンパクト化を実現することが可能となる。
【００６４】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００６５】
上記実施の形態においては、巻き付け軸３０は電動での動作を行い、駆動部（モーター）により回動することとした。しかしながら、これに限定されるものではなく、例えば、巻き付け軸３０を手動で回動させるような形態であっても構わない。
【００６６】
また、上記実施の形態においては、シャッターカーテン２０が閉じる際に室内側部材２５を室外側部材２３に対し遠ざける方向へ相対移動させる形態として、室内側部材２５の方を移動させる例を挙げたが、これに限定されるものではなく、室外側部材２３の方を移動させるようにしてもよいし、双方を移動させるようにしてもよい。また、同様に、シャッターカーテンが開く際に室内側部材２５を室外側部材２３に対し近づける方向へ相対移動させる形態として、室内側部材２５の方を移動させる例を挙げたが、これに限定されるものではなく、室外側部材２３の方を移動させるようにしてもよいし、双方を移動させるようにしてもよい。
【００６７】
また、上記実施の形態において、室内側部材２５は、室外側部材２３にスライド可能に嵌め込まれており、スラット２２は、前記空気層拡大手段として、室外側部材２３に設けられた突起部２３ｆと、室内側部材２５に設けられたテーパー部２５ｄと、を有し、シャッターカーテン２０が閉じる際に、隣り合う二つのスラット２２の一方の突起部２３ｆが、他方の室内側部材２５のテーパー部２５ｄに接触することにより該室内側部材２５を室外側部材２３から遠ざける方向にスライドさせて、空気層２６を拡大させることとした。
【００６８】
しかしながら、空気層２６を拡大させるための構成はこれに限定されるものではなく、シャッターカーテン２０が閉じる際に室内側部材２５を室外側部材２３に対し遠ざける方向へ相対移動させて空気層２６を拡大させる空気層拡大手段であればどのようなものでも構わない。
【００６９】
図５は、第二実施形態に係るスラット２２の断面図である。図５Ａは、図４Ａに対応した図であり、シャッターカーテン２０が閉じているときのスラット２２の断面形状を表した図である。図５Ｂは、図４Ｃに対応した図であり、シャッターカーテン２０が開いているときに巻き付け軸３０に巻き付いているスラット２２の断面形状を表した図である。
【００７０】
第二実施形態においては、前記空気層拡大手段として付勢部材（バネ部材６０）が備えられている。このバネ部材６０は、室外側部材２３と室内側部材２５との間に設けられており、バネ部材６０の付勢力により室内側部材２５を室外側部材２３に対し遠ざける方向へ相対移動させて空気層２６を拡大させるようになっている。
【００７１】
図６は、第三実施形態に係るスラット２２の断面図である。図６Ａは、図４Ａに対応した図であり、シャッターカーテン２０が閉じているときのスラット２２の断面形状を表した図である。図６Ｂは、図４Ｃに対応した図であり、シャッターカーテン２０が開いているときに巻き付け軸３０に巻き付いているスラット２２の断面形状を表した図である。
【００７２】
第三実施形態においては、前記空気層拡大手段として斜面７０が備えられている。この斜面７０は、室外側部材２３に設けられ、室内側部材２５に近づくにつれ下方へ下がる面となっている。そして、室内側部材２５の、斜面７０と係合する係合部分７２が、当該室内側部材２５の自重により当該斜面７０を滑ることで、室内側部材２５が室外側部材２３から遠ざかるようになっている。このように、斜面７０は、係合部分７２を滑らすことにより、室内側部材２５を室外側部材２３に対し遠ざける方向へ相対移動させて空気層２６を拡大させる。
【００７３】
ただし、図４の例（上記実施の形態）の方が、図５や図６の例（第二及び第三実施形態）と比べて、拡大時の空気層２６の大きさをより大きくすることができる。かかる点で、図４の例（上記実施の形態）の方がより望ましい。
【００７４】
なお、図５や図６の例（第二及び第三実施形態）のいずれにおいても、空気層縮小手段に係る構成及び動作については、図４の例（上記実施の形態）と同様である。
【００７５】
また、上記実施の形態においては、室外側部材２３が金属製の部材であり、室内側部材２５が樹脂製の部材であることとした。しかしながら、これに限定されるものではなく、例えば、双方とも金属製の部材であることとしてもよい。
【００７６】
双方とも金属製の部材である場合には、室外側部材２３から室内側部材２５への熱伝達が行われ易くなるため、冷えた室外側部材２３の温度が室内側部材２５の温度へ反映されやすくなる。そして、その場合には、空気層２６よりも室内側に冷えた部材が存在することとなるため、断熱機能を有する空気層２６を拡大する効果が薄れてしまう。
【００７７】
これに対し、本実施の形態においては、室内側部材２５を樹脂製の部材としたため、室外側部材２３から室内側部材２５への熱伝達が行われ難くなり、冷えた室外側部材２３の温度が室内側部材２５の温度へ反映され難くなる。そのため、空気層２６よりも室内側には、冷えた部材が存在しなくなり、断熱機能を有する空気層２６を拡大する効果がより適切に発揮されることとなる。つまり、空気層２６を拡大させることと室内側部材２５を樹脂製とすることの相乗効果により、断熱機能を飛躍的に向上させることが可能となる。
【００７８】
なお、双方とも樹脂製の部材であることとしてもよいが、この場合には、室外側部材２３が樹脂製の部材となるため、室外側部材２３が日射を受けることによる変形が懸念される。本実施の形態においては、このような変形の懸念がない点でもメリットを有している。
【００７９】
また、上記実施の形態においては、室外側部材２３を全て金属製とし、室内側部材２５を全て樹脂製としたが、これに限定されるものではなく、以下の例（第四実施形態とする）のようにしてもよい。
【００８０】
巻き付け軸３０を収容するための収容部（図１及び図２の例においては、ルーフ板５２、上枠５０、化粧板５４、縦枠に囲まれた空間）には、シャッターカーテン２０の繰り出しが行なわれる際に、シャッターカーテン２０を外部へ露出させる開口８０が備えられている。そして、複数のスラット２２は、シャッターカーテン２０が閉じた際に（図２の状態で）開口８０より外部に位置する複数のスラット（外部スラット８２と呼ぶ）と内部に位置する複数のスラット（内部スラット８４）からなる。
【００８１】
そして、複数の内部スラット８４の少なくとも一部に設けられた室内側部材２５を金属製の部材とし、それ以外のスラット２２に設けられた室内側部材２５を樹脂製の部材とすることとしてもよい。なお、室外側部材２３の方は金属製であり、かかる点については上記実施形態と同様である。
【００８２】
内部スラット８４は、シャッターカーテン２０が閉じた際に開口８０より内部に位置するため、断熱機能を余り考慮する必要がない。一方で、内部スラット８４は、スラット２２が巻き付け軸３０に多重に巻き付いているときに最下層（一重目）に位置することとなるため、二重目以降のスラット２２から押圧力を受ける。そのため、内部スラット８４については、断熱機能よりもスラット２２の強度の方をより一層重視する必要がある。
【００８３】
以上のことから、複数の内部スラット８４の少なくとも一部（一部又は全部）に設けられた室内側部材２５を（樹脂より強度の高い）金属製の部材とすることとすれば、シャッターユニット１０をコンパクト化しつつ、シャッターカーテン２０の断熱機能を向上させることに加えて、破損しにくいシャッターユニット１０を実現することが可能となる。
【符号の説明】
【００８４】
１０  シャッターユニット、２０  シャッターカーテン
２２  スラット、２２ｃ  上方スラット、２２ｄ  下方スラット
２３  室外側部材
２３ｂ  室外側第一係合部、２３ｃ  室外側第二係合部
２３ｄ  室外側第三係合部、２３ｅ  室外側第四係合部
２３ｆ  突起部、
２５  室内側部材、
２５ｂ  室内側第一係合部、２５ｃ  室内側第二係合部
２５ｄ  テーパー部
２６  空気層
３０  巻き付け軸
５０  上枠、５２  ルーフ板、５４  化粧板
８０  開口
８２  外部スラット、８４  内部スラット
【図１】
2017137623.tif 000003
【図２】
2017137623.tif 000004
【図３】
2017137623.tif 000005
【図４】
2017137623.tif 000006
【図５】
2017137623.tif 000007
【図６】
2017137623.tif 000008